(57)【要約】      （修正有）【課題】使用形態の多様性、様々な空間形態、個性化のニーズに対応でき、簡単かつ迅速に設置できる組み立て式装置を提供する。【解決手段】組み立て式装置２００は、複数のロッド部材を組み立ててなる本体フレーム６を含み、本体フレーム６に、隔てられた少なくとも１のドライスペース７、８と少なくとも１のウェットスペース９が形成され、少なくとも１のウェットスペース９に浴室用器具が配置され、少なくとも１のドライスペース７、８にドライスペース用器具が配置されている。ロッド部材を調整することによりドライスペース７、８の形状を変えることができる。ドライスペース用器具、ウェットスペース用器具は個別に加工・搬送・取り付けられることができ、設置工事が簡単である。本体フレーム６はロッド部材を組み立てられてなるため、ロッド部材を調整し、ドライスペース７、８の形状やサイズを変えることができ、ウェットスペース９の規格、部屋タイプ及び利用者の個性的なニーズに適する。【選択図】図６
0003228981.tif 000002
【実用新案登録請求の範囲】
【請求項１】
複数のロッド部材を組み立ててなる本体フレームを含み、
前記本体フレームに、互いに隔てられた少なくとも１のドライ・スペースと少なくとも１のウェット・スペースが形成され、少なくとも１の前記ウェット・スペースに浴室用器具が配置され、少なくとも１の前記ドライ・スペースにドライス・ペース用器具が配置されており、
前記ロッド部材を調整することにより、前記ドライ・スペースの形状を変えることができる
ことを特徴とする組み立て式装置。
【請求項２】
前記ドライ・スペース用器具はトイレ用器具、キッチン用器具を含む
ことを特徴とする請求項１に記載の組み立て式装置。
【請求項３】
前記本体フレームは、少なくとも１つのドライ・スペース・フレームと、少なくとも１つのウェット・スペース・フレームとを含み、
前記ドライ・スペース・フレームの内部に、前記ドライ・スペースが形成され、前記ウェット・スペース・フレームの内部に、前記ウェット・スペースが形成される
ことを特徴とする請求項１に記載の組み立て式装置。
【請求項４】
前記ドライ・スペース用器具は、前記本体フレームに取り付けられて固定されている
ことを特徴とする請求項１に記載の組み立て式装置。
【請求項５】
前記ドライ・スペース・フレームと前記ウェット・スペース・フレームの間に、前記ドライ・スペースと前記ウェット・スペースを連通するための通路が設けられる
ことを特徴とする請求項３に記載の組み立て式装置。
【請求項６】
前記通路は、前記ドライ・フレームと前記ウェット・フレームに取り付けられて固定されたドア・フレームである
ことを特徴とする請求項５に記載の組み立て式装置。
【請求項７】
前記ドライ・フレームに、頂部フレームと底部フレームとを備え、
前記頂部フレームは、アルミ合金ロッド部材を組み立ててなり、
前記底部フレームは、鋼合金ロッド部材を組み立ててなり、
前記頂部フレームの底面の断面形状は、前記底部フレームの形状にフィットし、前記頂部フレームは前記底部フレームに接続されて固定される
ことを特徴とする請求項３に記載の組み立て式装置。
【請求項８】
前記頂部フレームの上面に、隣接する２つのロッド部材の間に、当該２つのロッド部材に垂直に補強パイプが設けられ、および／または、前記頂部フレームの側面に、隣接する２つのロッド部材の間に、当該２つのロッド部材に垂直に補強パイプが設けられており、前記補強パイプに、ドライス・ペース用器具、浴室器具の取り付け穴が設けられている
ことを特徴とする請求項７に記載の組み立て式装置。
【請求項９】
前記頂部フレームの内側と外側に、石膏ボードが設けられており、当該石膏ボードの外側に装飾材が敷かれる
ことを特徴とする請求項７又は８に記載の組み立て式装置。
【請求項１０】
前記底部フレームに、木製合板が設けられており、当該木製合板の表面に防水用樹脂フィルムが敷かれる
ことを特徴とする請求項７又は８に記載の組み立て式装置。
【請求項１１】
前記本体フレームの底部に、脚部が設けられており、前記脚部の高さを調節し、前記ドライ・スペースと前記ウェット・スペースの高さを揃える
ことを特徴とする請求項１〜８のいずれか１項に記載の組み立て式装置。
【請求項１２】
前記本体フレームの頂部にブームが接続されて固定されており、
前記ブームは部屋の天井に接続されて固定されている
ことを特徴とする請求項１〜８のいずれか１項に記載の組み立て式装置。
【考案の詳細な説明】
【技術分野】
【０００１】
本考案は住宅用設備技術分野に関する。
【背景技術】
【０００２】
従来技術において、室内のトイレと浴室の設置工事は、通常、コンクリートを流れ込み固めて、または、壁を築き、メイン・フレームを形成し、その後、トイレの防水工事、床と壁板のしっくい塗りとレベリング、水道と電気のパイプの取り付け、床と壁のタイル張り工事などを行う。このような工事方法は、主に既存の間取りの部屋の場合に使われ、トイレの位置、サイズ、及びトイレ器具、浴室器具の設置位置は家を建てる時に既に決まっている。このような従来の方法は、工程が煩雑で、工事期間が長く、建築物の壁が占める部屋の面積は広く、下水管と地面の継ぎ目のところをうまく処理しないと、水漏れが発生しやすい。また、固定位置に器具を取り付ける場合、個性的なニーズを満たすことが難しい。
従来技術において、トイレと浴室が一体化されたトイレ・浴室設備（「トイレ・浴室ユニット」とも言われる）が現れている。伝統的なトイレ、浴室と比べて、トイレ・浴室ユニットは組み立てが便利で、空間利用率が高い等のメリットを有する。従来技術のトイレ・浴室ユニットは主にシート型プラスチック（SMC）製の床、壁板、天井の３つの部分から構成されている。浴室の水漏れを防ぐために、トイレ・浴室ユニットの床は金型を用いてプレス加工を行い床全体を形成する必要がある。床全体を形成するので、トイレ・浴室ユニットや浴室のサイズを変化させるニーズに柔軟に対応できず、タイプの異なる部屋へのトイレ・浴室ユニットの取付が制限されている。このようなトイレ・浴室ユニットは、一般的に、利用形態多様化のニーズが高くないホテルや病院などに適し、住宅には適しない。また、このようなトイレ・浴室ユニットは、防火性能が低く、防音性が低い。大きなサイズのSMCを一枚全体持ち運びにくいため、通常、専用の搬送装置が必要であり、人件費が高く、作業が難しい。
また、従来技術のトイレと浴室が一体化されたトイレ・浴室設備は、トイレと浴室の機能しか有しないものが多く、多様なニーズに応えられない。
【考案の概要】
【考案が解決しようとする課題】
【０００３】
本考案は上記従来の問題点を鑑みてなされ、使用形態の多様性、様々な空間形態、個性化のニーズに対応でき、簡単かつ迅速に設置できる組み立て式装置を提供することを目的とする。
【課題を解決するための手段】
【０００４】
本考案による組み立て式装置は、複数のロッド部材を組み立ててなる本体フレームを含み、本体フレームに、互いに隔てられた少なくとも１のドライ・スペースと少なくとも１のウェット・スペースが形成され、少なくとも１のウェット・スペースに浴室用器具が配置され、少なくとも１のドライ・スペースにドライス・ペース用器具が配置されており、ロッド部材を調整することにより、ドライ・スペースの形状を変えることができる。
好ましくは、ドライスペース用器具は、トイレ用器具および／またはキッチン用器具を含む。
好ましくは、本体フレームは、少なくとも１つのドライフレームと少なくとも１つのウェットフレームとを含み、ドライフレームの内部にはドライスペースが形成され、ウェットフレームの内部にはウェットスペースが形成されている。
好ましくは、本体フレームは、ドライフレームとウェットフレームに固定されたドアフレームを含み、ドライスペースとウェットスペースを接続するためのものである。
好ましくは、ドライスペース用器具は本体フレームに取り付けられて固定されている。
好ましくは、ドライフレームとウェットフレームの間には、ドライスペースとウェットスペースを連通するための通路が設けられる。
好ましくは、通路は、ドライフレームとウェットフレームに取り付けられて固定されたドアフレームである。
好ましくは、ドライフレームには、頂部フレームと底部フレームとを備え、頂部フレームはアルミ合金ロッド部材を組み立ててなり、底部フレームは鋼合金ロッド部材を組み立ててなり、頂部フレームの底面の断面形状は底部フレームの形状にフィットし、頂部フレームは底部フレームに接続されて固定される。
好ましくは、頂部フレームの上面に、隣接する２つのロッド部材の間には該２つのロッド部材に垂直に補強パイプが設けられ、および／または、頂部フレームの側面に、隣接する２つのロッド部材の間には該２つのロッド部材に垂直に補強パイプが設けられており、補強パイプにドライス・ペース用器具、浴室用器具の取り付け穴が設けられている。
好ましくは、頂部フレームの内側と外側のいずれもには石膏ボードが設けられており、石膏ボードの外側に装飾材が敷かれる。
好ましくは、底部フレームには木製合板が設けられ、木製合板の表面には防水用樹脂フィルムが敷かれる。
好ましくは、本体フレームの底部には脚部が設けられており、脚部の高さを調節し、ドライスペースとウェットスペースの高さを揃える。
好ましくは、本体フレームの頂部にはブームが接続されて固定されており、ブームは部屋の天井に接続されて固定されている。
【０００５】
本考案による組み立て式装置は、本体フレーム内には、隔てられた複数のドライ・スペースとウェット・スペースとが形成され、例えば、ウェット・スペースに浴室が設けられ、複数のドライ・スペースにトイレ、キッチン、書斎、クロークなどがそれぞれに設けられる。
本体フレームにドライ・スペースとウェット・スペースが形成され、ドライ・スペースとウェット・スペースは隔たれているため、ドライ・スペースとウェット・スペースに用いられる各種器具を個別に加工・搬送・取り付けることができ、設置工事は簡単である。
本体フレームはロッド部材を組み合わせてなるため、工事現場で、複数のロッド部材を用いて本体フレームを組み立て、設置工事は簡単である。
本体フレームはロッド部材を組み合わせてなるため、ロッド部材を調整し、ドライ・スペースの形状やサイズを変え、これにより、ウェット・スペースの規格、部屋のタイプ及び利用者の個性的なニーズに合わせることができる。例えば、部屋の梁や柱など不規則な物を避けることができ、特殊な形状のエリアに適し、スペースの利用効率を向上させることができる。
本体フレームはロッド部材を組み合わせてなり、部屋内の任意の位置に組み立てることができるため、部屋のタイプや利用者の個性的なニーズに応じて本体フレームの位置を変えることができ、その結果、トイレ、浴室、キッチンなどの位置が変えられる。
【図面の簡単な説明】
【０００６】
以下、添付された図面を参照しながら本考案の好ましい実施形態を説明するが、これらの図面は本考案の好ましい実施形態を説明するためのものであり、本考案を限定するためのものではない。
【図１】本考案の第１実施形態に係る組み立て式装置の全体構造の平面模式図である。
【図２】本考案の第１実施形態に係る組み立て式装置の本体フレームの斜視模式図である。
【図３】図２におけるＢ部分の拡大図である。
【図４】本考案の第１実施形態に係るドライスペースの分解斜視模式図である。
【図５】図１のＡ−Ａ方向の断面図である。
【図６】本考案の第２実施形態に係る組み立て式装置の全体構造の平面模式図である。
【図７】本考案の第２実施形態に係る組み立て式装置の本体フレームの斜視模式図である。
【考案を実施するための形態】
【０００７】
以下に添付図面を参照しながら、本考案の組み立て式装置の構成を詳細に説明する。なお、本明細書及び図面において、実質的に同一の機能を有する構成要素については、同一の符号を付し、重複説明を省略する。
【０００８】
［第１実施形態］
本考案の第１実施形態の組み立て式装置は、一つのドライスペースと一つのウェットスペースを含む。 本実施形態では、ドライスペースはトイレとして用いられ、その中にトイレ用器具が設けられる。もちろん、本考案のドライスペースは、トイレに限らず、キッチン、書斎、クロークルームなど他の用途に用いられてもよく、その中にキッチン用器具、及び/又は、ワードローブ、本棚、物置棚等のキャビネットタイプの設備を設置する。
図１は本考案の第１実施形態に係る組み立て式装置１００の全体構造の平面模式図である。
図１に示すように、第１実施形態の組み立て式装置１００は、本体フレーム１を備えている。本体フレーム１は、複数のロッドを組み立ててなる（後に、図２等を参照して詳細に説明する）組立式装置１００の本体支持構造であり、壁部、洗面所用器具、トイレ用器具、浴室用器具等各種の器具は本体フレーム1に取り付けられる。本体フレーム１の内部は、ドライスペース２とウェットスペース３とに仕切られている。例えば、ドライスペース２に、洗面台２１、物置棚２２、および／または便器２３等が設置される。ウェットスペース３は、独立した入浴空間であり、シャワーヘッド３１、浴槽３２などの入浴設備が設置される。家屋の設計に応じて、ドライスペース２をさらに二つのスペースに分けてもよく、それぞれ洗面台用器具と便器などのトイレ設備を設置する。
【０００９】
ドライスペース２とウェットスペース３の間に、ドライスペースとウェットスペースを連通又は遮断するための通路４が設けられている。
ドライスペース２とウェットスペース３は互い隔てられているため、ドライスペース２とウェットスペース３は互いに独立しており、独立して使用でき、異なる利用者は、互いに影響なく、ドライスペース２とウェットスペース３を同時に使用できる。
ドライスペース２とウェットスペース３は互い隔てられているため、ウェットスペース３の水がドライスペース２に侵入することなく、ドライスペース２を乾燥させ、清潔な状態を維持することができる。
ウェットスペース３に浴室が設けられており、常に大量の水が存在するため、ウェットスペース３に水漏れ防止機能が必要である。水漏れ防止のため、ウェットスペース３の底部はダイカスト鋳造により一体成形され、浸水、漏水を防止する。ウェットスペース３の底部板は、実際のニーズに応じて、複数の固定サイズ仕様を設定すれば、モジュール化し、大量生産が容易になる。例えば、ウェットスペース３の底部板の大きさは、１６００ｍｍ×１６００ｍｍなどいくつかのタイプにし、殆どの部屋のタイプの浴室のサイズに適用できる。ウェットスペース３の底部板のサイズが小さく、搬送や取り付けが簡単である。
ドライスペース２は、利用者のニーズ、設置場所のスペースなどに応じて形状、サイズを調整することができる。本体フレーム1の形状、サイズはドライスペース２によって変化する。
組み立て式装置１００を設置する前に、部屋のレイアウトを調べ、利用者のニーズ、部屋のスペース特性などに応じて設置場所を決め、設置場所を測定してドライスペース２と本体フレーム1の形状、サイズを決める。その後、測定した具体的な寸法に基づき、工場で本体フレーム1を構成するロッドを切断し、加工し、完成したロッドを設置現場に運び、工事現場で組み立てる。
本実施形態の組み立て式装置１００は、実際のニーズ、設置場所の形状や大きさなどに応じて、ドライスペース２と本体フレーム1との形状や大きさを調整し、工場で本体フレーム1の各部品の加工を完了した後に、設置場所において部品を組み立てる。従って、部屋のタイプや、利用者の個人的な要望に応じて、本体フレーム１の位置を変更することができ、また、トイレや浴室の位置を変更することもできる。
本体フレーム１の位置は、部屋のタイプ及び利用者の個人的な要望に応じて変更できるため、本実施形態の組み立て式装置１００は、様々なタイプの部屋、特に特殊な形状のエリアに適し、例えば、部屋内の梁や柱などの不規則な物を避けることができ、無駄なスペースを減らし、部屋の利用効率を向上させることができる。
設置現場で本体フレーム１を組み立てるだけで済み、部屋自体に対して工事が不要であるため、短時間で迅速に取り付けることができ、工事が非常に簡単で、工事時間を大幅に短縮でき、工事コストを削減できる。工事現場での工事内容は主に組立とねじ止めであるため、工事現場で、様々な工事廃棄物や、大気汚染の原因となる粉塵、切削騒音などは発生せず、工事による環境汚染を最小限に抑えることができる。
【００１０】
図２は本考案の第１実施形態に係る組み立て式装置の本体フレーム１の斜視模式図である。
図２に示すように、本体フレーム１は、複数のロッド１６１、１６２、１６３等を組み立ててなる本体支持構造である。本体フレーム１は一体化した構造であってもよく、その内部をドライスペース２とウェットスペース３とに仕切る。あるいは、ドライフレーム１１とウェットフレーム１２を先に別々に組み立ててから、ドライフレーム１１とウェットフレーム１２を組み立て、本体フレーム１を形成してもよい。
一例として、図２に示すように、本体フレーム１は、ドライフレーム１１とウェットフレーム１２とを含み、ドライフレーム１１の内部にはドライスペース２が形成され、ウェットフレーム１２の内部にウェットスペース３が形成される。図２に示すように、ウェットスペース３に浴槽３２等の入浴設備が設けられている。
ウェットフレーム１２の形状と大きさは、ウェットスペース３の底部板の仕様、浴槽の仕様、設置場所のスペース等に応じて決められる。
ドライフレーム１１の形状とサイズは、設置場所の状況とウェットフレーム１２の形状とサイズに応じて柔軟に調整することができる。まず、適切な金型を選び、特定の仕様の一体成型のウェットスペース３の底部板をダイカストし、そして、適切なウェットフレーム１２の仕様に合わせ、設置場所の状況に応じてドライフレーム１１の形状とサイズを決める。ドライフレーム１１とウェットフレーム１２の高さは、設置場所の高さに応じて決め、ドライフレーム１１とウェットフレーム１２の上面の形状は設置場所の天井の形状に合わせて決めてもよい。
【００１１】
図１における通路４の実施形態として、ドライフレーム１１とウェットフレーム１２に取り付けられて固定されているドアフレーム（以下、ドアフレーム４と記す）が設けられ、ドアフレーム４に浴室ドアが設置される。ドアフレーム４は、ドライフレーム１１とウェットフレーム１２を固定し、本体フレーム１全体の安定性を高め、スペースを節約することができる。 ドアフレーム４に浴室のドアが取り付けられており、ドライスペース２とウェットスペース３を遮断することができ、ウェットスペース３の水がドライスペース２に流れ込むことを有効的に防止する。
ドライスペース２とウェットスペース３との連通通路４は、設置場所に応じてほかの形態にすることが可能である。例えば、人が通過する通路とすることができる。このとき、ドライスペース２とウェットスペース３の間に一つの通路分の間隔が存在する。例えば、設置場所に、部屋の既存の壁や柱などの物体を避けるため、壁、柱等の隙間にドライスペース２とウェットスペース３を連通する通路を設けてもよい。これにより、トイレ・浴室一体化設備の使用するスペースを増やし、スペースの利用率が高められる。通路の側壁にラック、ロッカーなど家具の部品を取り付けることができる。
本実施形態では、ドライフレーム１１とウェットフレーム１２は、アルミニウム合金および鋼合金のロッドで作られ、ドライフレーム１１とウェットフレーム１２は一体成型される。ドライフレーム１１とウェットフレーム１２に、耐火、防水板を設置し壁部とし、地震や火災などの災害時に避難所として活用することもできる。
【００１２】
ウェットフレーム１２には、鋼板、天井、ダイカストにより一体成形された底部板（図示せず）が取り付けられている。鋼板の表面に樹脂フィルムの層を敷設し、鋼板が水蒸気に腐食されることを避ける。天井と底部板は繊維強化プラスチック（ＦＲＰ）で作られ、軽くて硬く、非導電性で、高い機械的強度と耐食性というメリットを有する。
設置の際に、各部品を組み立てればよい。まず、ウェットフレーム１２を組み立て、水平シャーシを設置し下水管を接続し、接続バー等の部品を固定し、その後、壁部、天井、ドア、窓、浴室用器具、物置棚等を本体フレーム１に設置する。
【００１３】
図３は図２におけるＢ部分の拡大図である。
ドアフレーム４はドライフレーム１１とウェットフレーム１２とを固定し、ドライフレーム１１とウェットフレーム１２とを密着させる。本体フレーム１の全体の安定性をさらに高めるため、図３に示すように、ドライフレーム１１とウェットフレーム１２とをフレーム固定部１３で固定し、本体フレーム１全体をより安定させる。
フレーム固定部１３は、両側が折り曲げられた曲げ鋼材であり、両側の曲げ部１３１でドライフレーム１１とウェットフレーム１２の頂部の、密着しているロッドがフレーム固定部１３の内部に挟まれ、さらにネジ１４で両側の曲げ部１３１と、ドライフレーム１１とウェットフレーム１２の頂部のロッドとを固定し、ネジ１４を締め付ける。フレーム固定部１３は、ドライフレーム１１とウェットフレーム１２の頂部だけでなく、ドライフレーム１１とウェットフレーム１２の側部の密着している縦方向のロッドを挟んで、ネジ１４で固定してもよい。
他の実施例として、ドライフレーム１１とウェットフレーム１２は、長いねじ１５でドライフレーム１１とウェットフレーム１２との密接しているロッドを固定し締め付けてもよい。
【００１４】
図４は本考案の第１実施形態に係るドライスペース１１の分解斜視模式図である。
図４に示すように、ドライフレーム１１は頂部フレーム１６と底部フレーム１７を含み、頂部フレーム１６はアルミニウム合金ロッドを組み立ててなり、底部フレーム１７は鋼合金ロッドを組み立ててなり、頂部フレーム１６は底部フレーム１７に接続されて固定されている。
底部フレーム１７は、鋼合金ロッドを交差し重ねて自由に組み合わせてなる。なお、図４には、ドライフレーム１１の全体構成を明確に示すため、底部フレーム１７の全体を示さず、底部フレーム１７の一部のみを示している。組み立ての際に、まず、必要に応じて複数の同じ仕様の第１ロッド部材１７１を同じ水平方向の平面に平行に配置し、次に、複数の同じ仕様の第２ロッド部材１７２を第１ロッド部材１７１と直交するように交差して配置し固定する。
本実施形態では、第１ロッド部材１７１に角形鋼パイプを用い、第２ロッド部材１７２に曲げ鋼板を用い、その曲げ部をネジで第１ロッド部材１７１に接続して固定する。鋼合金のロッドを組み立てた底部フレーム１７は、強度と安定性がより高く、ドライフレーム１１全体がより安定し、耐荷重性がより高くなる。
頂部フレーム１６を構成するアルミニウム合金ロッドとして、アルミニウム合金パイプを用い、接続部材１８でアルミニウム合金パイプ同士の接続部を接続し固定する。
【００１５】
本実施形態では、頂部フレーム１６は、水平方向に配置される第１パイプ１６１と、第１パイプ１６１の両端に配置される第２パイプ１６２と、垂直方向に配置される第３パイプ１６３とからなる直方体構造である。第１パイプ１６１、第２パイプ１６２、第３パイプ１６３の端部の接続位置は、接続部材１８で接続されて固定されている。
もちろん、頂部フレーム１６は、直方体構造に限定されるものではなく、部屋のタイプ、使用のニーズ、設置場所の状況に応じて形状を決めることができる。頂部フレーム１６の上面は、平面に限らず、屋根の形状に合わせて設定してもよい。例えば、傾斜した屋根、三角形の屋根、台形の屋根など、さまざまな形状の屋根に合わせて、頂部フレーム１６の上面を、同じ形状にしてもよく、または、容易に組み立て設置できる他の形状にしてもよい。
【００１６】
図４に示すように、頂部フレーム１６の上面に複数の第１パイプ１６１が並んで配置され、頂部フレーム１６の側面に複数の第３パイプ１６３が並んで配置されており、隣接する第１パイプ１６１の間隔、隣接する第３パイプ１６３の間隔は、使用状況や荷重状況により決める。このように第１パイプ１６１と第３パイプ１６３を配置することで、頂部フレーム１６の安定性を高めることができる。
実際の状況に応じて、頂部フレーム１６の上面の適切な位置に、隣接する２つの第１パイプ１６１の間に第１パイプ１６１と垂直に第１補強パイプ１６４を配置する。第１補強パイプ１６４にトイレ用器具を取り付ける取付孔１６７を設ける。第１の補強パイプ１６４の数と間隔は、設置される器具の取付状況に応じて決める。例えば、天井にランプ、トイレ・浴室暖房、換気扇、給湯器等が設置される場合がある。これら器具を取り付ける際に、実際の状況に応じて、頂部フレーム１６の上面の複数の第１パイプ１６１の間に取り付け位置を選び、各器具の取付間隔に応じて、第１補強パイプ１６４の間隔と取付孔１６７の位置を決める。
【００１７】
同じように、頂部フレーム１６の側面の適切な位置に、隣接する２つの第３パイプ１６３の間に第３パイプ１６３と垂直に第２補強パイプ１６５を配置し、第２補強パイプ１６５に、トイレ用器具を取り付ける取付孔１６７を設ける。第２補強パイプ１６５の数と間隔は、設置される器具の取付状況に応じて決める。例えば、頂部フレーム１６の側面の壁部にラック、収納キャビネット、便器、浴室用キャビネット、洗面台等が取り付けられる。これら器具を取り付ける際に、実際の状況に応じて、頂部フレーム１６の側面の複数の第３パイプ１６３の間に取り付け位置を選び、各器具の取付間隔に応じて、第２補強パイプ１６５の間隔と取付孔１６７の位置を決める。
より多くの取付ニーズを満たすため、２つの第２補強パイプ１６５の間、第２パイプ１６２と第２補強パイプ１６５の間に、第３補強パイプ１６６を設けてもよく、その取付位置と間隔は、取り付けようとする設備によって決められる。もちろん、実際の状況に応じて、異なる位置の隣接するパイプの間に、第４補強パイプ、第５補強パイプ等を設けてもよい。
【００１８】
組み立てられたドライフレーム１１に、壁部と底部板を設置する。頂部フレーム１６の側面と上部の壁部の材料として石膏ボードを用い、石膏ボードの表面に壁紙又は樹脂板等の表面材を敷設してもよい。底部フレーム１７に高密度の集合木板が敷かれ、その木板の表面に防水樹脂フィルムを敷いてもよい。本体フレーム１の取付孔１６７に対応する壁部と底部板の箇所に、取り付け用穴が設けられており、これで、本体フレーム１にトイレ・浴室用器具を容易に取り付けることができる。
上記の各取付孔１６７により、例えば、洗面台２１、物置棚２２、及び／又は便器２３等の各種器具は本体フレーム１に取り付けられて固定される。各種トイレ・浴室器具の本体フレーム１での取付位置は、実際の使用状況や使用者の好み等に応じて決める。
実際のニーズに応じて、トイレ・浴室用器具を設置する適切な位置を選び、設置位置を柔軟にデザインし、合理的に配置することができ、組み立て式装置１００内の空間をより有効に活用できる。
【００１９】
トイレ・浴室器具は本体フレーム１に取り付けられ、本体フレーム１と一体化されているため、これらの器具は安定で、転がりにくく、移動しにくく、安全性が確保されている。
図５は図１のＡ−Ａ方向の断面図である。
図５に示すように、本体フレーム１の底部に脚部５が設けられ、脚部５の高さは調節可能である。脚部５の高さを調節することにより、ドライスペース２とウェットスペース３の高さを揃えることができる。脚部５は本体フレーム１全体を一定の高さで持ち上げることで、部屋内にトイレ・浴室を設置する位置を柔軟に変更でき、下水道の位置やコンタクトソケットに影響されず、設置スペースを最大限自由に選択することができ、また、浴室の水漏れや他のトラブルが発生した時に、点検口を短時間で開けて修理することができる。また、本体フレーム１を容易に分解して不良部品を交換することができる。
【００２０】
本体フレーム１の頂部にはブーム（図示せず）が設けられている。ブームの一端は建物の天井に固定され、これで本体フレーム１を建物の天井に接続されて固定され、本体フレーム１の組み立てが容易になり、ドライスペース２の安定性を向上し、地震などの自然災害が発生した際に、避難所として人の安全を守ることができる。
以上のように、本実施形態では、本体フレーム１に互いに独立したドライスペース２とウェットスペース３とを設け、組み立て式装置１００の内部は、ドライスペース２とウェットスペース３とに仕切られる。ドライフレーム１１を自由に組み立てることにより、組み立て式装置１００は、様々な部屋タイプに適し、応用範囲が広く、様々な個性的なニーズに応えることができる。
【００２１】
［第２実施形態］
第２実施形態の組み立て式装置は、二つのドライスペースと一つのウェットスペースを含む。 本実施形態では、一つのドライスペースはトイレとして用いられ、その中にトイレ用器具が設けられ、もう一つのドライスペースはキッチンとして用いられ、その中にキッチン用器具が設けられる。もちろん、本考案のドライスペースは、二つに限らず、複数であってもよく、ドライスペースはトイレとキッチンに限らず、書斎、クロークなど他の用途にも利用できる。
図６は本考案の第２実施形態に係る組み立て式装置２００の全体構造の平面模式図である。
図６に示すように、第２実施形態の組み立て式装置２００は、本体フレーム６を備えている。本体フレーム６は、複数のロッド（図７参照）を組み立ててなる組立装置２００の本体支持構造であり、壁部、及び洗面所用器具、トイレ用器具、浴室用器具、キッチン用器具等各種の器具は本体フレーム６に取り付けられている。本体フレーム６の内部は、第１ドライスペース７、第２ドライスペース８、ウェットスペース９に仕切られている。例えば、第１ドライスペース７に洗面台７１、物置棚７２、便器７３等が設置される。第２ドライスペース８に、水槽８１、操作用コンソール８２、食器棚８３等のキッチン用器具が設置される。ウェットスペース９は、独立した入浴空間であり、シャワーヘッド９１、浴槽９２などの入浴設備が設置される。
【００２２】
第１ドライスペース７、第２ドライスペース８とウェットスペース９の間には、各スペースを連通又は遮断する通路が設けられている。
第１ドライスペース７、第２ドライスペース８とウェットスペース９は互いに隔てられているため、第１ドライスペース７、第２ドライスペース８とウェットスペース９は互いに独立しており、独立して使用でき、異なる利用者は、互いに影響なく、第１ドライスペース７、第２ドライスペース８、ウェットスペース９を同時に利用できる。
【００２３】
第１ドライスペース７と第２ドライスペース８は、利用者のニーズ、設置場所のスペースなどに応じて形状、サイズ、設置位置を調整することができる。本体フレーム６の形状、サイズは、第１ドライスペース７と第２ドライスペース８によって変化する。
組み立て式装置２００を設置する前に、部屋のレイアウトを調べ、利用者のニーズ、部屋のスペース特性などに応じて設置場所を決め、設置場所を測定して第１ドライスペース７、第２ドライスペース８と本体フレーム６の形状、サイズを決める。その後、測定した具体的な寸法に基づき、工場で本体フレーム６を構成するロッドを切断、加工し、完成したロッドを設置現場に運び、工事現場で組み立てる。
本実施形態の組み立て式装置２００は、実際のニーズ、設置場所の形状や大きさなどに応じて、第１ドライスペース７、第２ドライスペース８、本体フレーム６の形状や大きさ、設置位置を調整し、工場で本体フレーム６の各部品の加工を完了した後に、設置場所において部品を組み立てる。従って、部屋のタイプ及び利用者の個人的な要望に応じて、本体フレーム６の位置と形状を変更することができ、また、トイレ、浴室、キッチンの位置とレイアウトを変更することもできる。
【００２４】
本体フレーム６の位置と形状は、部屋のタイプ及び利用者の個人的な要望に応じて変更できるため、本実施形態の組み立て式装置２００は、様々なタイプの部屋、特に特殊な形状のエリアに適し、例えば、部屋内の梁や柱などの不規則な物を避けることができ、無駄なスペースを減らし、部屋の利用効率を向上させることができる。
設置現場で本体フレーム６を組み立てるだけで済み、部屋自体に対して工事が不要であるため、短時間で迅速に取り付けることができ、工事が非常に簡単で、工事時間を大幅に短縮でき、工事コストを削減できる。工事現場での工事内容は主に組立とねじ止めであるため、工事現場で、様々な工事廃棄物や、大気汚染の原因となる粉塵、切削騒音などは発生せず、工事による環境汚染を最小限に抑えることができる。
【００２５】
図７は本考案の第２実施形態に係る組み立て式装置の本体フレーム６の斜視模式図である。
図７に示すように、本体フレーム６は、複数のロッドを組み立ててなる本体支持構造である。本体フレーム６は、一体化した構造のフレームであってもよく、その内部を、第１ドライスペース７、第２ドライスペース８、ウェットスペース９とに仕切る。あるいは、第１ドライフレーム６１、第２ドライフレーム６２、ウェットフレーム６３を先に別々に組み立ててから、第１ドライフレーム６１、第２ドライフレーム６２、ウェットフレーム６３を組み立てて、本体フレーム６を形成してもよい。
【００２６】
一例として、図７に示すように、本体フレーム６は、第１ドライフレーム６１、第２ドライフレーム６２、ウェットフレーム６３とを含み、第１ドライフレーム６１の内部に第１ドライスペース７が形成され、第２ドライフレーム６２の内部に第２ドライスペース８が形成され、ウェットフレーム６３の内部にウェットスペース９が形成される。ウェットスペース９に浴槽９２等の入浴設備が設けられる。第１ドライスペース７をトイレとして用い、その内部にトイレ用器具を設置し、第２ドライスペース８をキッチンとして用い、その内部にキッチン用器具を設置する。
第１ドライフレーム６１と第２ドライフレーム６２の形状とサイズは、設置場所の状況とウェットフレーム６３の形状とサイズに応じて柔軟に調整することができる。まず、適切な金型を選び、特定の仕様の一体成型のウェットスペース９の底部板をダイカストし、そして、適切なウェットフレーム６３の仕様に合わせ、設置場所の状況に応じて第１ドライフレーム６１、第２ドライフレーム６２の形状、サイズ、取付レイアウトを決める。第１ドライフレーム６１、第２ドライフレーム６２、ウェットフレーム６３の高さは、設置場所の高さに応じて決めることができ、それらの上面の形状を設置場所の天井の形状に合わせることができる。
【００２７】
本実施形態では、第１実施形態のフレーム固定部１３を用い、第１ドライフレーム６１、第２ドライフレーム６２、ウェットフレーム６３を固定し、本体フレーム６全体をさらに安定させてもよい。
【００２８】
以上のように、本実施形態では、本体フレーム６に、互いに独立した第１ドライスペース７、第２ドライスペース８、ウェットスペース９を設け、組み立て式装置２００の内部は、第１ドライスペース７、第２ドライスペース８、ウェットスペース９に仕切られる。第１ドライフレーム６１、第２ドライフレーム６２、及び各スペースの取付レイアウトを自由に組み立てることにより、組み立て式装置２００は、様々な部屋タイプに適し、応用範囲が広く、様々な個性的なニーズに応えることができる。
【００２９】
上記実施形態では、ドライフレームとウェットフレームとを別々に組み立てた後に、ドライフレームとウェットフレームとを組み立てて固定することを例として、本考案に係る組み立て式装置を詳細に説明したが、本考案はこれに限られない。本体フレーム全体を先に組み立てて、本体フレーム内にドライスペースとウェットスペースを別々に組み立て、ドライスペースとウェットスペースが隔てられた組み立て式装置を実現できる。
本考案に係る組み立て式装置は、第１実施形態のような、一つのドライスペース（トイレ）と一つのウェットスペース（浴室）とを有するトイレ・浴室一体化設備に限らず、第２実施形態のような、二つのドライスペース（一つのトイレと一つのキッチン）と一つのウェットスペース（浴室）とを有するキッチン・トイレ・浴室一体化設備にも限られない。実際のニーズに応じて複数の使用スペースを設け、例えば、単独の書斎、更衣室等複数の使用スペースを設けてもよく、組み立て式装置の形態や機能を更に多様化にさせる。
以上、本考案の好ましい実施例を説明したが、本考案はこれらの実施例に限定されるものではない。当業者は、本考案の範囲および概念から逸脱しない範囲で、これらの実施例への変更または修正は、本考案の技術的範囲に属する。
【符号の説明】
【００３０】
１        本体フレーム
２        ドライスペース
３        ウェットスペース
４        通路
５        脚部
７        第１ドライスペース、
８        第２ドライスペース
９        ウェットスペース
１１      ドライフレーム
１２      ウェットフレーム
１３      フレーム固定部
１４      ネジ
１６      頂部フレーム
１７      底部フレーム
２１      洗面台
２２      物置棚
２３      便器
７１      洗面台
７２      物置棚
７３      便器
８１      水槽
８２      操作用コンソール
８３      食器棚
９１      シャワーヘッド
９２      浴槽
１００    組み立て式装置
１６１    第１パイプ
１６２    第２パイプ
１６３    第３パイプ
１６４    第１補強パイプ
１６５    第２補強パイプ
１６６    第３補強パイプ
１６７    取付孔
２００    組み立て式装置
【図１】
0003228981.tif 000003
【図２】
0003228981.tif 000004
【図３】
0003228981.tif 000005
【図４】
0003228981.tif 000006
【図５】
0003228981.tif 000007
【図６】
0003228981.tif 000008
【図７】
0003228981.tif 000009
【手続補正書】
【提出日】令和2年8月24日(2020.8.24)
【手続補正１】
【補正対象書類名】実用新案登録請求の範囲
【補正対象項目名】全文
【補正方法】変更
【補正の内容】
【実用新案登録請求の範囲】
【請求項１】
複数のロッド部材を組み立ててなる本体フレームを含み、
前記本体フレームに、互いに隔てられた少なくとも１のドライ・スペースと少なくとも１のウェット・スペースが形成され、少なくとも１の前記ウェット・スペースに浴室用器具が配置され、少なくとも１の前記ドライ・スペースにドライ・スペース用器具が配置されており、
前記ロッド部材を調整することにより、前記ドライ・スペースの形状を変えることができる
ことを特徴とする組み立て式装置。
【請求項２】
前記ドライ・スペース用器具はトイレ用器具、キッチン用器具を含む
ことを特徴とする請求項１に記載の組み立て式装置。
【請求項３】
前記本体フレームは、少なくとも１つのドライ・スペース・フレームと、少なくとも１つのウェット・スペース・フレームとを含み、
前記ドライ・スペース・フレームの内部に、前記ドライ・スペースが形成され、前記ウェット・スペース・フレームの内部に、前記ウェット・スペースが形成される
ことを特徴とする請求項１に記載の組み立て式装置。
【請求項４】
前記ドライ・スペース用器具は、前記本体フレームに取り付けられて固定されている
ことを特徴とする請求項１に記載の組み立て式装置。
【請求項５】
前記ドライ・スペース・フレームと前記ウェット・スペース・フレームの間に、前記ドライ・スペースと前記ウェット・スペースを連通するための通路が設けられる
ことを特徴とする請求項３に記載の組み立て式装置。
【請求項６】
前記通路は、前記ドライ・スペース・フレームと前記ウェット・スペース・フレームに取り付けられて固定されたドア・フレームである
ことを特徴とする請求項５に記載の組み立て式装置。
【請求項７】
前記ドライ・スペース・フレームに、頂部フレームと底部フレームとを備え、
前記頂部フレームは、アルミ合金ロッド部材を組み立ててなり、
前記底部フレームは、鋼合金ロッド部材を組み立ててなり、
前記頂部フレームの底面の断面形状は、前記底部フレームの形状にフィットし、前記頂部フレームは前記底部フレームに接続されて固定される
ことを特徴とする請求項３に記載の組み立て式装置。
【請求項８】
前記頂部フレームの上面に、隣接する２つのロッド部材の間に、当該２つのロッド部材に垂直に補強パイプが設けられ、および／または、前記頂部フレームの側面に、隣接する２つのロッド部材の間に、当該２つのロッド部材に垂直に補強パイプが設けられており、前記補強パイプに、ドライ・スペース用器具、浴室器具の取り付け穴が設けられている
ことを特徴とする請求項７に記載の組み立て式装置。
【請求項９】
前記頂部フレームの内側と外側に、石膏ボードが設けられており、当該石膏ボードの外側に装飾材が敷かれる
ことを特徴とする請求項７又は８に記載の組み立て式装置。
【請求項１０】
前記底部フレームに、木製合板が設けられており、当該木製合板の表面に防水用樹脂フィルムが敷かれる
ことを特徴とする請求項７又は８に記載の組み立て式装置。
【請求項１１】
前記本体フレームの底部に、脚部が設けられており、前記脚部の高さを調節し、前記ドライ・スペースと前記ウェット・スペースの高さを揃える
ことを特徴とする請求項１〜８のいずれか１項に記載の組み立て式装置。
【請求項１２】
前記本体フレームの頂部にブームが接続されて固定されており、
前記ブームは部屋の天井に接続されて固定されている
ことを特徴とする請求項１〜８のいずれか１項に記載の組み立て式装置。